(57)【特許請求の範囲】
【請求項１】
便座と、この便座を回動自在に軸支する便座支持部材とを備えた便座装置を便器本体の上面に取り付けて昇降させる便座リフトアップ装置であって、
上下方向に貫設された貫通孔と、この貫通孔の前後方向の中心に対して前後方向の一方に偏った位置に設けられた第１係止部とを有し、上下面を反転させずに前後を反転して前記便器本体の上面に固定することができる下プレートと、
この下プレートが上下面を反転させずに前後を反転して前記便器本体の上面に固定されることにより前後方向に変位する前記第１係止部に対応して前後方向に変位したそれぞれの位置で前記下プレートに対して昇降し、下降した際に前記第１係止部に係止する第２係止部を有し、前記便座支持部材が取り付けられる上プレートと、
この上プレートの前後方向の変位に対応した位置に取り付けられて下方に延び、前記便器本体に貫設された取付孔と前記貫通孔とを挿通して前記下プレートを前記便器本体の上面に固定し、上下方向に伸縮する便座取付具とを備えていることを特徴とする便座リフトアップ装置。
【請求項２】
前記下プレートは、左右側部に形成され、前記貫通孔の前後方向の中心から前後方向の一方に所定寸法離れた位置に嵌合部を有し、前記上プレートは、左右側部に形成され、前記下プレートに対し下降した際に前記嵌合部が嵌合する被嵌合部を有していることを特徴とする請求項１記載の便座リフトアップ装置。
【請求項３】
前記貫通孔は前後方向に延びる長孔であることを特徴とする請求項１又は２記載の便座リフトアップ装置。
【請求項４】
前記下プレートは、前記貫通孔に沿って形成され、前記貫通孔の前後方向の中心位置を示すマークを有していることを特徴とする請求項３記載の便座リフトアップ装置。
【請求項５】
前記便座装置と請求項１乃至４のいずれか１項記載の便座リフトアップ装置とを備えていることを特徴とする昇降便座。
【発明の詳細な説明】
【技術分野】
【０００１】
本発明は便座リフトアップ装置及び昇降便座に関する。
【背景技術】
【０００２】
特許文献１には従来の便座装置が開示されている。この便座装置は、便座と、この便座を回動自在に軸支する便座支持部材と、便座支持部材を便器本体の上面に取り付ける固定プレートとを備えている。固定プレートには、前後方向に延びる一対の長孔形状の貫通孔が左右に所定の間隔を有して貫設されている。便座支持部材の底面には固定プレートを収納する凹部が形成されている。凹部を形成する左右の各内側面には内側に向けて延びる一対のピンが形成されている。固定プレートの左右の両端部には溝部が形成されている。この溝部には、便座支持部材が凹部に収納される際にピンが挿入され、係止する。また、固定プレートには、溝部に挿入されたピンを固定する固定機構が設けられている。
【０００３】
この便座装置は、次のようにして便器本体の上面に取り付けられる。先ず、固定プレートを便器本体の上面に載置し、貫通孔と便器本体の上面に左右に並んで貫設された取付孔とを合わせる。次に、固定プレートの貫通孔及び便器本体の取付孔に対して取付ボルトを上方から挿入し、下方からこの取付ボルトにナットを締付ける。これにより、固定プレートが便器本体の上面に固定される。次に、便座支持部材を固定プレートより前の便器本体の上面に載置し、便座支持部材の凹部に固定プレートを収納するように、便座支持部材を後方へ移動させる。これにより、ピンが溝部に挿入され、固定機構により固定される。このようにして、便座装置を便器本体の上面に取り付けることができる。
【０００４】
固定プレートの貫通孔が長孔形状であるため、便器本体の大きさ（大型便器又は標準便器）の変化に対応して便座装置を便器本体の上面に取り付けることができる。つまり、大型便器に対してこの便座装置を取り付ける際には、固定プレートの貫通孔の後側に取付ボルトを挿通して固定プレートを便器本体の上面に固定する。これにより、固定プレートが取付孔に対して前方側に取り付けられるため、便座支持部材を便器本体の取付孔に対して前方側へ取り付けることができる。このため、便座の前端を大型便器の便器本体の前端より僅かに前方へ突出させた状態にして便座装置を便器本体に取り付けることができる。
【０００５】
一方、便器本体の左右の取付孔の中心を結んだ線から便器本体の前端までの寸法が大型便器よりも短い標準便器に対してこの便座装置を取り付ける際には、固定プレートの貫通孔の前側に取付ボルトを挿通して固定プレートを便器本体の上面に固定する。これにより、固定プレートが取付孔に対して後方側に取り付けられるため、便座支持部材を便器本体の取付孔に対して後方側へ取り付けることができる。このため、便座の前端を標準便器の便器本体の前端より僅かに前方へ突出させた状態にして便座装置を便器本体に取り付けることができる。
【０００６】
この便座装置は、便器本体の上面に取り付けられた後に固定機構を解除し、便座支持部材を前方へ移動させ、溝部内のピンを回転軸として便座支持部材の前端側を持ち上げることができる。これにより、便器本体の上面と便座支持部材との間に隙間を設けることができる。この隙間を利用して、固定プレートよりも前側に露出した便器本体の後部上面を清掃することができる。
【先行技術文献】
【特許文献】
【０００７】
【特許文献１】特開２００６−２７１５６８号公報
【発明の概要】
【発明が解決しようとする課題】
【０００８】
しかし、特許文献１の便座装置では、固定プレートの前後方向の長さが長いため、大型便器に取り付けた際には固定プレートが便器本体の取付孔より前方に大きく迫り出し、固定プレートの前端部が便器本体に形成された便鉢の後端縁に接近する。このため、飛散した尿等が固定プレートと便器本体の後部上面との間に侵入し易くなる。また、便座支持部材の前端側を持ち上げて便器本体の後部上面と便座支持部材との間に隙間を設けても、露出する便器本体の後部上面の面積が狭いため、便器本体の後部上面を良好に清掃することができない。また、固定プレートと便器本体の後部上面との間に侵入した尿等を容易に清掃することができない。
【０００９】
本発明は、上記従来の実情に鑑みてなされたものであって、便器本体の後部上面が汚れ難く、かつ清掃性を良好にすることができる便座リフトアップ装置及び昇降便座を提供することを解決すべき課題としている。
【課題を解決するための手段】
【００１０】
本発明の便座リフトアップ装置は、便座と、この便座を回動自在に軸支する便座支持部材とを備えた便座装置を便器本体の上面に取り付けて昇降させる便座リフトアップ装置であって、
上下方向に貫設された貫通孔と、この貫通孔の前後方向の中心に対して前後方向の一方に偏った位置に設けられた第１係止部とを有し、上下面を反転させずに前後を反転して前記便器本体の上面に固定することができる下プレートと、
この下プレートが上下面を反転させずに前後を反転して前記便器本体の上面に固定されることにより前後方向に変位する前記第１係止部に対応して前後方向に変位したそれぞれの位置で前記下プレートに対して昇降し、下降した際に前記第１係止部に係止する第２係止部を有し、前記便座支持部材が取り付けられる上プレートと、
この上プレートの前後方向の変位に対応した位置に取り付けられて下方に延び、前記便器本体に貫設された取付孔と前記貫通孔とを挿通して前記下プレートを前記便器本体の上面に固定し、上下方向に伸縮する便座取付具とを備えていることを特徴とする。
【００１１】
この便座リフトアップ装置では、下プレートの上下面を反転させずに前後を反転して便器本体の上面に取り付けると、第１係止部が便器本体の取付孔に対して前後方向に変位した位置に配置される。上プレートは、第１係止部の変位に対応して前後方向に変位したそれぞれの位置で昇降することができる。この上プレートの前後方向の変位を利用して大型便器及び標準便器に対応することができる。つまり、大型便器と標準便器とにおいて、便器本体の左右取付孔の中心を結んだ線から便器本体の前端までの寸法に差があり、上プレートの前後方向の変位をその寸法差に設定することにより、この便座リフトアップ装置は大型便器及び標準便器のそれぞれに便座装置を取り付けることができる。
【００１２】
この際、下プレートを上下面を反転させずに前後を反転させて第１係止部を前後方向に変位させるため、下プレートの前後方向の長さを短くすることができる。このため、下プレートの前端部が便器本体の取付孔より前方に大きく迫り出すことを防止することができ、下プレートの前端部を便器本体に形成された便鉢の後端縁から離すことができる。よって、飛散した尿等が下プレートと便器本体の後部上面との間に侵入し難くなる。また、上プレートが上昇し、便器本体の後部上面と便座支持部材との間に隙間を設けると、露出する便器本体の後部上面の面積を大きくすることができ、良好に清掃することができる。
【００１３】
したがって、本発明の便座リフトアップ装置は、便器本体の後部上面が汚れ難く、かつ清掃性を良好にすることができる。
【００１４】
前記下プレートは、左右側部に形成され、前記貫通孔の前後方向の中心から前後方向の一方に所定寸法離れた位置に嵌合部を有し、前記上プレートは、左右側部に形成され、前記下プレートに対し下降した際に前記嵌合部が嵌合する被嵌合部を有し得る。この場合、下プレートの嵌合部に上プレートの被嵌合部を嵌合させることにより、下プレートに対する上プレートの位置決めを容易に行なうことができる。
【００１５】
前記貫通孔は前後方向に延びる長孔であり得る。この場合、便器本体の製造過程における公差に対応することができる。特に、便器本体が陶器製である場合、便器本体の左右の取付孔の中心を結んだ線から便器本体の前端までの寸法は±２０ｍｍの公差が見込まれている。このため、貫通孔は、便座取付具の挿通部分を考慮して５０ｍｍ程度の長孔にするとよい。このようにすると、この便座リフトアップ装置により、便座装置を便器本体の上面に取り付ける際、便座の前端を便器本体の前端より僅かに前方へ突出するように微調整することができる。
【００１６】
前記下プレートは、前記貫通孔に沿って形成され、前記貫通孔の前後方向の中心位置を示すマークを有し得る。この場合、便座取付具を貫通孔に挿通する基準位置を容易に認識することができる。このため、便座リフトアップ装置の便器本体への取り付けを容易に行なうことができる。
【００１７】
本発明の昇降便座は、前記便座装置と前記便座リフトアップ装置とを備えていることを特徴とする。この昇降便座では上述した効果を奏することができる。
【図面の簡単な説明】
【００１８】
【図１】便座リフトアップ装置と便座装置とを示す斜視図である。
【図２】昇降便座を大型便器に取り付けた状態を示す概略図である。
【図３】昇降便座を標準便器に取り付けた状態を示す概略図である。
【図４】大型便器に取り付ける際の便座リフトアップ装置を示す分解図である。
【図５】大型便器に取り付けられた下プレートを示す平面図である。
【図６】大型便器に取り付けられた便座リフトアップ装置を示す側面図である。
【図７】大型便器に取り付けられた便座リフトアップ装置を示す側面図である。
【図８】大型便器に取り付けられた便座リフトアップ装置を示す平面断面図である。
【図９】標準便器に取り付ける際の便座リフトアップ装置を示す分解図である。
【図１０】標準便器に取り付けられた下プレートを示す平面図である。
【図１１】標準便器に取り付けられた便座リフトアップ装置を示す側面図である。
【図１２】標準便器に取り付けられた便座リフトアップ装置を示す側面図である。
【図１３】標準便器に取り付けられた便座リフトアップ装置を示す平面断面図である。
【図１４】大型便器に取り付けられた便座リフトアップ装置を示す平面図である。
【図１５】便座リフトアップ装置の動作を示す概略図であり、（ａ）レバー部材が圧縮コイルバネの弾性力により右側に位置した状態、（ｂ）レバー部材が中間位置に引き出された状態、（ｃ）レバー部材が左方向へ引き出された状態を示す。
【図１６】便座リフトアップ装置の動作を示す概略図であり、（ａ）レバー部材が圧縮コイルバネの弾性力により右側に位置した状態、（ｂ）レバー部材が中間位置に引き出された状態、（ｃ）レバー部材が左方向へ引き出された状態を示す。
【図１７】図１４の矢視Ｘ−Ｘ断面において、上プレートが下降位置に位置した状態を示す断面図である。
【図１８】図１４の矢視Ｘ−Ｘ断面において、上プレートが上昇位置に位置した状態を示す断面図である。
【図１９】便座装置が上昇位置に位置した状態を示す概略図である。
【発明を実施するための形態】
【００１９】
本発明の便座リフトアップ装置を利用して便器本体の上面に便座装置を取り付けて昇降可能にした昇降便座を具体化した実施例を図面を参照しつつ説明する。
【００２０】
＜実施例＞
実施例の昇降便座は、図１〜図４に示すように、便座装置１０と便座リフトアップ装置２０とを備えている。便座装置１０は、便座１１、便蓋１２及び便座支持部材１３を備えている。便座支持部材１３は便座１１と便蓋１２を回動自在に軸支している。また、便座支持部材１３は２本の局部洗浄ノズル１３Ａ、温水タンク１３Ｂ及び制御装置１３Ｃ等を収納している。２本の局部洗浄ノズル１３Ａはおしり用とビデ用である。温水タンク１３Ｂは局部洗浄ノズル１３Ａに洗浄水を供給する図示しない給水路の途中に設けられている。制御装置１３Ｃは、温水タンク１３Ｂ内の水温調整や、図示しない給水路の途中に設けられた開閉弁の開閉等を制御する。
【００２１】
便座支持部材１３の底面には、便座リフトアップ装置２０の重ね合わされた状態の下プレート３０及び上プレート４０を収納する凹部１４が設けられている。凹部１４を形成する左右の内側面には、下端縁から内側に向かって突出した段部１４Ａが形成されている。この段部１４Ａは、便座リフトアップ装置２０を凹部１４内に収納した際、便座リフトアップ装置２０の上プレート４０に設けられた鍔部４１Ａが係止する。
【００２２】
また、便座支持部材１３は、便座支持部材１３の左右方向に移動可能に組み込まれたレバー部材１５を有している。レバー部材１５は、便座支持部材１３の底面に沿って延びており、凹部１４内で下方に突出する２つの爪部１５Ａを有している。レバー部材１５の一端部には操作部１５Ｂが設けられている。操作部１５Ｂは、便座支持部材１３が便器本体１Ａ、１Ｂに取り付けられた際に便器本体１Ａ、１Ｂの前方側から見て左側面に露出している。レバー部材１５と便座支持部材１３との間には圧縮コイルバネ１６が介在している。この圧縮コイルバネ１６はレバー部材１５に対して右方向へ弾性力を付与している。このため、常時、レバー部材１５は、操作部１５Ｂの外側面が便座支持部材１３の左側面と面一になるように配置されている。
【００２３】
便器本体１Ａ、１Ｂの後部上面には所定間隔を有して左右に並んだ取付孔３が貫設されている。図２に示す便器本体１Ａは、左右の取付孔３の中心を結んだ線から便器本体の前端までの寸法が４７０ｍｍ±２０ｍｍに設計され、製造された陶器製の大型便器である。また、図３に示す便器本体１Ｂは、左右の取付孔３の中心を結んだ線から便器本体の前端までの寸法が４４０ｍｍ±２０ｍｍに設計され、製造された陶器製の標準便器である。
【００２４】
便座リフトアップ装置２０は、図４及び図９に示すように、下プレート３０、上プレート４０及び便座取付具５０を備えている。
【００２５】
下プレート３０は、１枚の金属板を切り欠いたり、折り曲げたりして形成されている。下プレート３０は、左右両端に設けられ、前後方向に延びる縦長矩形状の左右両端部３１と、左右両端部３１の間に設けられ、左右方向に延びる横長矩形状の中間部３２とを有している。左右両端部３１には前後方向に延びる長孔形状の貫通孔３１Ａが貫設されている。各貫通孔３１Ａは便器本体１の左右に並んだ取付孔３の間隔と同じ間隔で形成されている。
【００２６】
また、各貫通孔３１Ａの前後方向の長さは約５０ｍｍに形成されている。これにより、便器本体１Ａ、１Ｂの製造過程における公差に対応することができる。特に、便器本体１Ａ、１Ｂが陶器製である場合、便器本体１Ａ、１Ｂの左右の取付孔３の中心を結んだ線から便器本体１Ａ、１Ｂの前端までの寸法は±２０ｍｍの公差が見込まれている。このため、各貫通孔３１Ａの前後方向の長さを約５０ｍｍにすることにより、便座装置１０を便器本体１Ａ、１Ｂの上面に取り付ける際、便座１１及び便蓋１２の前端を便器本体１Ａ、１Ｂの前端より僅かに前方へ突出するように微調整することができる。
【００２７】
中間部３２の左右の２ヶ所には、前後方向に並んで配置された一対の第１係止部３３が設けられている。この一対の第１係止部３３は貫通孔３１Ａの前後方向の中心に対して前後方向の一方に偏った位置に設けられている。また、中間部３２の左側に設けられ前後方向に並んだ第１係止部３３と右側に設けられ前後方向に並んだ第１係止部３３とは、左右方向にも並んで配置されている。左右方向に並んだ第１係止部３３は、下プレート３０の左右中央部に対して対称位置に配置されている。各第１係止部３３は、中間部３２から立ち上がる立上り片３３Ａと、立上り片３３Ａの上端から内側に屈曲した係止片３３Ｂとを有している。各第１係止部３３は、係止片３３Ｂの下方に後述する第２係止部４３の被係止片４３Ｂが左右両方向から移動可能に形成されている。
【００２８】
下プレート３０の左右両端部３１の外側部には外側に張り出した嵌合部３４が形成されている。この嵌合部３４は、貫通孔３１Ａの前後方向の中心から約１５ｍｍ前後方向に離れた位置（第１係止部３３が位置する方向）に形成されている。このため、下プレート３０を上下面を反転させずに前後を反転させると、貫通孔３１の前後方向の中心に対して、前後方向に約１５ｍｍずつ嵌合部３４が変位する。
【００２９】
下プレート３０の中間部３２であって各貫通孔３１Ａの内側には、貫通孔３１Ａの前後方向の中心位置を示すマーク３５が形成されている。マーク３５は三角形状に凹設され、貫通孔３１Ａ側に向いた１つの頂点が貫通孔Ａ３１の前後方向の中心位置を示している。
【００３０】
下プレート３０の左右両端部３１の下面には、貫通孔３１Ａより僅かに大きい形状の開口３６Ａが形成された縦長矩形状の滑り止め用パッキン３６が貼着されている。
【００３１】
上プレート４０は、上プレート本体４１、スライド部材４２及び保持部材４４を備えている。上プレート本体４１は、便座支持部材１３に組み込まれたレバー部材１５の２つの爪部１５Ａに対応する位置に前方及び上方に開口した２列の係止溝４５を有している。各係止溝４５の後端部は直角に右方向に屈曲しており、爪部１５Ａが係止する段部４５Ａが形成されている。
【００３２】
上プレート本体４１は各係止溝４５より外側に形成され、上方に開口した固定凹部４６を有している。各固定凹部４６は、下プレート３０の左右両端部３１に貫設された貫通孔３１Ａに対応する位置に形成されている。この固定凹部４６は前後方向に延びている。各固定凹部４６の左右方向の中央部には前後方向に延びる長孔４６Ａが貫設されている。この固定凹部４６には、便座取付具５０を上プレート４０に固定する際、その固定に利用されるワッシャーＷ１及びボルトＢ１が収納される。また、長孔４６ＡはボルトＢ１が挿通される。
【００３３】
上プレート本体４１は、左右上端縁から外側に突出する鍔部４１Ａを有している。また、上プレート本体４１は、左右側部の前後方向の中央部の下縁に下方に向けて開口して切り欠かれた被嵌合部４７を有している。被嵌合部４７は上プレート４０が下プレート３０に対して下降した際に下プレート３０の嵌合部３４に嵌合させる。これにより、下プレート３０に対する上プレート４０の位置決めを行うことができる。
【００３４】
上プレート本体４１の中間部４１Ｂには、下方に開口した収納凹部が形成されている。この収納凹部には、スライド部材４２を収納し、収納凹部の下方から保持部材４４をビスＳにより固定する。このようにして、スライド部材４２は収納凹部内で左右方向に往復移動可能に収納されている。収納凹部には、スライド部材４２が収納された際にスライド部材４２の凹部４２Ａに収納された圧縮コイルバネ４８の一端が当接する当接部４１Ｃが下方に垂下して形成されている。これにより、収納凹部４２Ａに収納されたスライド部材４２には、右方向に向けて圧縮コイルバネ４８の弾性力が付与されている。
【００３５】
スライド部材４２の左右両端部には前後に並んだ一対の第２係止部４３が設けられている。各第２係止部４３は、スライド部材４２の下面から垂下する垂下片４３Ａと、垂下片４３Ａの下端から外側に突出した被係止片４３Ｂとを有している。前後に並んだ２つの垂下片４３Ａの間隔は、下プレート３０に設けられた前後に隣り合う２つの第１係止部３３の係止片３３Ｂの間隔より小さく形成されている。また、各被係止片４３Ｂは、下プレート３０に設けられた第１係止部３３の各係止片３３Ｂに対応する位置に形成されている。このように形成された第２係止部４３はスライド部材４２と伴に左右方向に往復移動可能である。
【００３６】
スライド部材４２の右側面の後方には右方向に突出する凸部４２Ｂが形成されている。凸部４２Ｂはスライド部材４２の右側面の中間部から後方に向けて徐々に右方向に延びる傾斜面４２Ｃを有している。
【００３７】
便座取付具５０は、軸部材５１と筒部材５２と圧縮コイルバネ５３とを有している。筒部材５２は軸部材５１を挿通する貫通孔を有している。圧縮コイルバネ５２は軸部材５１が上昇する方向に弾性力を付与している。
【００３８】
軸部材５１は、円柱状の第１軸部５１Ａと、この第１軸部５１Ａの下端に連続する円柱状の第２軸部５１Ｂと、第１軸部５１Ａの上端に連続する円盤状の頭部５１Ｃとを有している。第２軸部５１Ｂの外径は第１軸部５１Ａの外径よりも小さく形成されている。頭部５１Ｃの直径は第１軸部５２Ａの外径よりも大きく形成されている。
【００３９】
第２軸部５１Ｂの下端部の外周には第２軸部５１Ｂを一周する溝部５１Ｄが設けられている。この溝部５１ＤにはＯリング５４がはめ込まれて取り付けられている。Ｏリング５４は圧縮コイルバネをリング状に連結したものである。
【００４０】
第２軸部５１Ｂの下端面には円盤状の停止部材５１ＥがボルトＢ２により取り付けられている。停止部材５１Ｅは筒部材５３の下端部に取り付けられる後述する被結合部材５５の外径より僅かに大きい外形を有している。このため、停止部材５１Ｅが被係止部材５５の下端面に当接し、軸部材５１が筒部材５２から上方へ抜けてしまうことを防止している。
【００４１】
筒部材５２は、外周面にねじ山が刻まれた円筒状の胴部５２Ａと、胴部５２Ａの下端に取り付けられる被結合部材５５と、胴部５２Ａの上端に連続する平面視が正方形の平板状の頭部５２Ｂとを有している。筒部材５２は軸部材５１の第２軸部５１Ｂより長く形成されている。被結合部材５５は内周面に軸部材５１のＯリング５４が係止する段部５５Ａ（図１７及び図１８参照）が形成されている。
【００４２】
圧縮コイルバネ５３は、筒部材５２の貫通孔の内周面と、筒部材５２の貫通孔に挿通した第２軸部５１Ｂの外周面との間に収納されている。圧縮コイルバネ５３は軸部材５１を上昇させる方向に弾性力を付与している。このように、便座取付具５０は上下方向に伸縮可能に形成されている。
【００４３】
便座取付具５０は、軸部材５１の頭部５１ＣとボルトＢ１が挿通するワッシャーＷ１とにより上プレート４０を挟み込んだ状態でボルトＢ１をねじ込むことにより、上プレート４０から下方に延びて取り付けられる。また、便座取付具５０は、筒部材５２を下プレート３０の貫通孔３１Ａと便器本体１Ａ、１Ｂに貫設された取付孔３とを挿通し、筒部材５２の下端から挿入したワッシャーＷ２を挟持してナットＮをねじ込むことにより、下プレート３０を便器本体１Ａ、１Ｂの上面に固定することができる。
【００４４】
このように構成された便座リフトアップ装置２０を利用して、図２及び図４〜図８に示すように、大型便器の便器本体１Ａに便座装置１０を取り付けて昇降便座を構成する場合と、図３及び図９〜図１３に示すように、標準便器の便器本体１Ｂに便座装置１０を取り付けて昇降便座を構成する場合とを比較して説明する。
【００４５】
大型便器の便器本体１Ａに便座装置１０を取り付ける際には、標準便器の便器本体１Ｂに便座装置１０を取り付ける際に比べて、図２及び図３に示すように、便器本体１Ａ、１Ｂの取付孔３に対して便座装置１０を前方側に取り付けることになる。つまり、大型便器の便器本体１Ａに便座装置１０を取り付ける際（図６、図７参照）には、標準便器の便器本体１Ｂに便座装置を取り付ける際（図１１及び図１２参照）に比べて、上プレート４０を取付孔３に対して前方側に取り付ける。このためには、図５及び図１０に示すように、下プレート３０を上下面を反転させずに前後を反転させて便器本体１Ａ、１Ｂの上面に固定する。
【００４６】
上下面を反転させず前後を反転させて下プレート３０を便器本体１Ａ、１Ｂの上面に固定するそれぞれの場合、貫通孔３１Ａの前後方向の中心位置を示すマーク３５に便座取付具５０の筒部材５２を合わせて、貫通孔３１と、便器本体１Ａ、１Ｂに貫設された取付孔３とに筒部材５２を挿通する。その後、筒部材５２の下端から挿入しワッシャーＷ２を挟持してナットＮをねじ込む。
【００４７】
このようにして下プレート３０を便器本体１Ａ、１Ｂの上面に固定すると、下プレート３０を反転させる前後において、前後に並んで配置された各第１係止部３３が取付孔３に対して３０ｍｍずつ前後方向に変位する。つまり、大型便器の便器本体１Ａに下プレート３０を取り付けた場合、標準便器の便器本体１Ｂに下プレート３０を取り付けた場合に比べて、取付孔３に対して３０ｍｍずつ各第１係止部３３を前方に変位させることができる。
【００４８】
また、マーク３５によって筒部材５２を貫通孔３１に挿通する基準位置を容易に認識することができるため、便座リフトアップ装置２０の便器本体１Ａ、１Ｂへの取り付けを容易に行なうことができる。また、各第１係止部３３を前後方向に確実に３０ｍｍずつ変位させることができる。
【００４９】
下プレート３０を上下面を反転させずに前後を反転することにより第１係止部３３を前後方向に変位させるため、下プレート３０の前後方向の長さは短くすることができる。このため、下プレート３０の前端部が便器本体１Ａ、１Ｂの取付孔３より前方に大きく迫り出すことを防止することができ、下プレート３０の前端部を便器本体１Ａ、１Ｂに形成された便鉢２の後端縁から離すことができる。よって、飛散した尿等が下プレート３０と便器本体１Ａ、１Ｂの後部上面の間に侵入し難くなる。また、上プレート４０が上昇し、便器本体１Ａ、１Ｂの後部上面と便座支持部材１３との間に隙間を設けると、露出する便器本体１Ａ、１Ｂの後部上面の面積を大きくすることができ、良好に清掃することができる。
【００５０】
したがって、実施例の便座リフトアップ装置２０は、便器本体１Ａ、１Ｂの後部上面が汚れ難く、かつ清掃性を良好にすることができる。
【００５１】
大型便器の便器本体１Ａ又は標準便器の便器本体１Ｂに合わせて下プレート３０を取り付けた後、図６〜図８及び図１１〜図１３に示すように、下プレート３０に対する上プレート４０の位置決めを行うとともに、上プレート４０を下プレート３０に対して下降させて第１係止部３３と第２係止部４３とを係止させる。
【００５２】
つまり、上プレート本体４１の長孔４６Ａの上方からワッシャーＷ１を介してボルトＢ１を挿通する。長孔４６を挿通したボルトＢ１は、便座取付具５０の軸部材５１の頭部４１Ｃに形成された螺子孔５１Ｆに仮締めされる。この状態で上プレート４０を下降させ、下プレート３０の嵌合部３４に上プレート４０の被嵌合部４７を嵌合させる。そして、ボルトＢ１を螺子孔５１Ｆに本締めする。このため、下プレート３０に対する上プレート４０の位置決めを容易に行なうことができる。
【００５３】
このようにして、上プレート４０を取付孔３に対して前後方向に３０ｍｍ変位して取り付けることができ、それぞれの位置で上プレート４０を下プレート３０に対して昇降させることができる。このため、取付孔３に対して前後方向に３０ｍｍ変位させた上プレート４０に便座装置１０の便座支持部材１３を取り付けることにより、大型便器及び標準便器のそれぞれに対応した昇降便座を構成することができる。
【００５４】
便器本体１Ａ、１Ｂの上面に取り付けられた便座リフトアップ装置２０は、図１３及び図１４に示すように、上プレート４０が下降した際、下プレート３０に設けられた４つの第１係止部３３と上プレート４０に設けられた４つの第２係止部４３とが係止する。
【００５５】
つまり、上プレート４０に設けられた４つの第２係止部４３は、左右方向（図１３及び図１４において上下方向）に往復移動可能なスライド部材４２に設けられているため、下プレート３０に設けられた４つの第１係止部３３の係止片３３Ｂの下方に左側（図１３及び図１４において上側）から第２係止部４３の被係止片４３Ｂが進入し、第１係止部３３と第２係止部４３は係止することができる。このように、下プレート３０が上下面を反転させずに前後を反転して便器本体１Ａ、１Ｂの上面に取り付けられても、下プレート３０に設けられた第１係止部３３と上プレート４０に設けられた第２係止部４３とは良好に係止することができる。
【００５６】
また、４つの第１係止部３３は、前後方向及び左右方向に２つずつ並んで配置されており、下プレート３０が上下面を反転させずに前後を反転して便器本体１Ａ、１Ｂの上面に固定されても、前後方向に並んで配置された各第１係止部３３は、前後方向に並んだ配置された第２係止部４３に対して同じ位置関係に配置され、かつ左右方向に並んで配置された各第１係止部３３は、左右方向に並んで配置された第２係止部４３に対して同じ位置関係に配置される。このため、下プレート３０が上下面を反転せずに前後を反転して便器本体１Ａ、１Ｂの上面に固定されても、下プレート３０に設けられた各第１係止部３３と上プレート４０に設けられた各第２係止部４３とを良好かつ強固に係止することができる。これにより、上プレート４０は下降位置において安定して保持される。
【００５７】
したがって、実施例の便座リフトアップ装置２０は、便器本体の大きさの変化に対応することができ、便座装置１０を便器本体１Ａ、１Ｂの上面に安定して取り付けることができる。
【００５８】
大型便器の便器本体１Ａ又は標準便器の便器本体１Ｂの上面に取り付けられ、上プレート４０が下降して第１係止部３３と第２係止部４３とが係止した状態の便座リフトアップ装置２０に対し、便座装置１０を以下に説明するように取り付ける。
【００５９】
便座装置１０を便座リフトアップ装置２０よりも前の便器本体１Ａ、１Ｂの上面に載置し、便座支持部材１３の凹部１４に便座リフトアップ装置２０の重ね合わされた下プレート３０と上プレート４０とが収納されるように、便座支持部材１３を後方へスライドさせる。この際、凹部１４の段部１４Ａに上プレート４０の鍔部４１Ａが係止し、かつ凹部１４内で下方に突出する２つの爪部１５Ａが上プレート４０の２列の係止溝４５に挿入されるようにスライドさせる。便座支持部材１３が後方へスライドする際、爪部１５Ａがスライド部材４２の凸部４２Ｂの傾斜面４２Ｃに当接し、スライド部材４２を左方向に移動させる。爪部１５Ａは傾斜面４２Ｃに当接し、徐々にスライド部材４２を左方向に移動させるため、抵抗が少なく、便座支持部材１３を後方へ容易にスライドさせることができる。便座支持部材１３を完全に後方へスライドさせると、圧縮コイルバネ４９の弾性力によりスライド部材４２が右方向に移動し、爪部１５Ａが係止溝４５の段部４５Ａに係止する。これにより、便座支持部材１３が前方へ移動することができなくなり、便座装置１０は、図１５（ａ）、図１６（ａ）及び図１７に示すように、便座リフトアップ装置２０に取り付けられる。
【００６０】
便座リフトアップ装置２０を利用して便座装置１０を便器本体１Ａ、１Ｂの上面に取り付けた昇降便座は、図１５（Ｂ）及び図１６（Ｂ）に示すように、便座装置１０のレバー部材１５の操作部１５Ｂを左方向に引き出すと、爪部１５Ａがスライド部材４２の凸部４２Ｂに当接して、スライド部材４２を左方向に移動させる。このため、スライド部材４２に設けられた第２係止部４３が左方向に移動し、その中間位置において、第１係止部３３との係止状態が解除される。この状態で、便座装置１０の便座支持部材１３を保持して、上方へ引き上げると、便座取付具５０の圧縮コイルバネ５３の弾性力を利用して、図１８及び図１９に示すように、便座装置１０を容易に引き上げることができる。
【００６１】
また、便座装置１０を上昇位置まで引き上げると、便座取付具５０の軸部材５１のＯリング５４が被結合部材５５の段部５５Ａに係止し、便座装置１０を上昇位置に保持することができる。
【００６２】
便座装置１０のレバー部材１５の操作部１５Ｂを完全に左方向に引き出すと、図１５（Ｃ）及び図１６（Ｃ）に示すように、爪部１５Ａが係止溝４５の段部４５Ａより左方向に移動し、係止状態が解除される。このため、便座装置１０を前方へ引き出すことができ、便座装置１０を便座リフトアップ装置２０から取り外すことができる。
【００６３】
本発明は上記記述及び図面によって説明した実施例に限定されるものではなく、例えば次のような実施例も本発明の技術的範囲に含まれる。
（１）実施例では、第１係止部を移動させずに第２係止部を左右方向に往復移動可能としたが、第１係止部を左右方向に往復移動可能として第２係止部を移動させない構成としてもよい。
（２）実施例では、第２係止部を左右方向に往復移動可能としたが、前後方向に往復移動可能としてもよい。
（３）実施例では、第１係止部と第２係止部を４つずつ設けたが、下プレートが上下面を反転させずに前後を反転して便器本体の上面に固定されても第２係止部に対して同じ位置関係に配置されていれば第１係止部及び第２係止部の数はいくつであってもよい。
（４）実施例では、下プレートと上プレートに嵌合部と被嵌合部を設けたが、嵌合部と被嵌合部を設けなくてもよい。
（５）実施例では、貫通孔を長孔にしたが長孔でなくてもよい。この場合、貫通孔の前後方向の中心を示すマークを設けなくてもよい。
（６）実施例では下プレートに第１係止部、上プレートに第２係止部及びロック機構を設けたが、下プレートに第２係止部及びロック機構と同様な機構を設け、上プレートに第１係止部と同様な機構を設けてもよい。
（７）実施例では係止部を１枚の金属板を切り欠き、さらに折り曲げて形成しているが、係止部は別体に形成し下プレートに一体にしてもよい。
【符号の説明】
【００６４】
１Ａ、１Ｂ…便器本体
３…取付孔
１０…便座装置
１１…便座
１３…便座支持部材
２０…便座リフトアップ装置
３０…下プレート
３１Ａ…貫通孔
３３…第１係止部
３４…嵌合部
３５…マーク
４０…上プレート
４３…第２係止部
４７…被嵌合部
５０…便座取付具
【図１】
0005384410.tif 000002
【図２】
0005384410.tif 000003
【図３】
0005384410.tif 000004
【図４】
0005384410.tif 000005
【図５】
0005384410.tif 000006
【図６】
0005384410.tif 000007
【図７】
0005384410.tif 000008
【図８】
0005384410.tif 000009
【図９】
0005384410.tif 000010
【図１０】
0005384410.tif 000011
【図１１】
0005384410.tif 000012
【図１２】
0005384410.tif 000013
【図１３】
0005384410.tif 000014
【図１４】
0005384410.tif 000015
【図１５】
0005384410.tif 000016
【図１６】
0005384410.tif 000017
【図１７】
0005384410.tif 000018
【図１８】
0005384410.tif 000019
【図１９】
0005384410.tif 000020